(57)【要約】  【課題】  確実に接続した状態を維持させると共に、容易に接続を解除可能なプラグを提供する。  【解決手段】  プラグＰ１は、ソケットＳに挿入係止することで、プラグ側コンタクトＰ３がソケット側コンタクトＳ３と接続して電気的に導通状態とさせるプラグＰであって、ソケットＳの接続凹部Ｓ１と挿抜可能なプラグハウジングＰ２と、プラグハウジング側面Ｐ２１ｆの接続凹部側Ｓ１から対向側へ向け突設され、中間部にはソケットＳの係止部Ｓ２１と係止する抜け止め係止部Ｐ２１ｊを設ける抜け止め防止片Ｐ２１ｇと、プラグハウジング側面Ｐ２１ｆに形成され、先端部Ｐ２２ｈが抜け止め防止片先端部Ｐ２１ｉ（Ｐ２１ｎ）を内包するように設ける抜け止め防止片押さえ部Ｐ２２ｆとから構成し、抜け止め防止片Ｐ２１ｇの揺動が、抜け止め防止片押さえ部Ｐ２２ｆによって外側への揺動を規制される。【選択図】  図２
2005209375.tif 000002
【特許請求の範囲】
【請求項１】
ソケットに挿入係止することで、一端にリード線が接続されたプラグ側コンタクトがソケット側に設けたソケット側コンタクトと接続することでソケット側とプラグ側とを電気的に導通状態とさせるプラグであって、
ソケットに設ける接続凹部と挿抜可能な形状からなるプラグハウジングと、
基端部がプラグハウジング側面に固定されると共に他端が揺動可能な自由端を形成し、ソケットに設ける係止部と係止可能な抜け止め係止部が設けられた抜け止め防止片と、
プラグハウジング側面に形成され、抜け止め防止片の揺動を規制する抜け止め防止片押さえ部とから成り、
抜け止め防止片は抜け止め防止片押さえ部によって外側への揺動が規制されることを特徴とするプラグ。
【発明の詳細な説明】
【技術分野】
【０００１】
この発明は、信号線とアース線とで対を成すリード線をオーディオ機器などへ接続するための接続プラグに関する。
【背景技術】
【０００２】
従来、一般に信号線とアース線とで対を成すリード線、例えばスピーカケーブルなどをオーディオ機器などへ接続するには、該リード線の端部を裂きリード線の被覆を剥いて導体である導線を露出させておき、露出した導線を縒り或は半田によって纏め、予めオーディオ機器側に設けたターミナルにネジ止め或は差込む等して固定しスピーカとオーディオ機器とを電気的に接続し、スピーカへ音声信号を伝送していた。
【０００３】
しかしながら、上記例では、スピーカケーブルの端部の始末は利用者が行う場合には縒る或は半田により纏める等によって行うが、この場合には利用者による負担が大きいことと、利用者の作業に不良があると、確固とした接続が行われないことが考えられる。
そこで、利用者の負担を軽くすると共に接続不良を解消するためには、オーディオ機器等の製造メーカ側で行うこととなるが、この場合には、オーディオ機器等のメーカ側で、スピーカ線の終端を一々半田付けする作業が非効率的であり、製造コストを上げる一因となってしまう。
【０００４】
そこで発明者は、これら問題点を解決すべく『プラグ』（特許第３４３５１３２号、以下従来例という。）を発明した。
即ち上記従来例は、特許請求の範囲によると『（請求項１） 第１リード線（５）と第２リード線（７）からなり、オーディオ機器のアンプとスピーカとの間に配線される一対のリード線（３）を、アンプまたはスピーカに接続するためのプラグであって、アンプまたはスピーカに設けられるソケット（１２７）の接続凹部（１３９）に挿抜自在の外形を有するプラグハウジング（１５）と、このプラグハウジング（１５）内に設けられ、第１リード線（５）と第２リード線（７）に対応して接続凹部（１３９）内に突設された一対のピン端子（１３１）と接触する一対のプラグ側接触端子（２５）と、非対称形状の接続凹部（１３９）に対して特定姿勢でのみ挿抜するように、プラグハウジング（１５）の外形を非対称とする逆挿入防止手段と、一対のプラグ側接触端子（２５）を、それぞれ第１リード線（５）または第２リード線（７）に接続する接続手段と、を備えたプラグおいて、接続手段は、第１リード線（５）または第２リード線（７）に着脱自在なクランプ手段であることを特徴とするプラグ。
（請求項２） クランプ手段は、プラグ側接触端子（２５）と一体的に形成された接触板（５７）と、この接触板（５７）に対向して接触板（５７）の方向へ付勢され、第１リード線（５）または第２リード線（７）を接触板（５７）との間で挟持してクランプする板バネ（５９）と、この板バネ（５９）を、付勢方向と反対方向へ押圧することでアンクランプする押しボタン（５５）と、を有してなることを特徴とする請求項１に記載のプラグ。』であり、図６に表すように、ソケット１２７は、プラグハウジング１５が挿入される接続凹部１３９を設け、更に接続凹部の中にはピン端子１３１を接続凹部１３９の開口面側に突設してある。一方、プラグハウジング１５には、図７に表すように、ソケット１２７の接続凹部１３９に挿入した際にピン端子１３１と電気的に接続されるプラグ側接続端子２５の後端に延設した板ばね３３を図７中上方に移動させその位置で固定可能な回動レバー３９を設ける。
【０００５】
そして、プラグハウジング１５では、プラグハウジング１５の後端側に設けた挿入口３５から、端部の被覆を剥離し導線が露呈したリード線５を挿通し、リード線５の導線が露呈した部分をプラグ側接続端子２５の後端である板ばね３３位置まで差込み、図８に表すように回動レバー３９を回動させて板ばね３３によってリード線５をクランプし、導通を確保可能にしている。
【０００６】
【特許文献１】特許第３４３５１３２号公報
【発明の開示】
【発明が解決しようとする課題】
【０００７】
しかしながら、上記従来例では、複数のプラグの挿入方向を間違えないようにプラグとソケットを電気的に接続可能であるが、接続後プラグが抜け落ちることを防止できない。
即ち、例えば、オーディオ機器のスピーカコードの接続では、スピーカコードがオーディオ機器と或はスピーカを確実に強固に接続されていることが求められ、他の入力機器をオーディオ機器本体に接続する際などに、コード相互が絡み合ったまま作業する等により接続させようとしている入力機器以外の例えばスピーカコードにまで力が加わり、接続してあるコードが抜脱してしまう場合があるという問題点を有していた。そして、抜脱したコードが抜脱前にどの端子に接続されていたかが解らなくなってしまうというような問題点を有した。
【０００８】
一方、抜け止めを防止する手段として、図９に表すように、ＬＡＮケーブルを接続するためのモジュラープラグ２００が知られている。モジュラープラグ２００には、モジュラージャック（図示せず）と係止する際にモジュラープラグ２００がモジュラージャック（図示せず）から脱抜しないように抜け止めを防止するための抜け止め防止片２０１を設けており、モジュラープラグ２００とモジュラージャック（図示せず）との係止を強固なものとしていた。
【０００９】
しかしながら、従来のモジュラープラグ２００では、抜け止め防止片の自由端部先端が外方へ突出した状態なので、取り扱いの最中に該先端部を引っかけてしまいプラグ側基端部からおれて破損してしまうという問題点を有した。
【課題を解決するための手段】
【００１０】
そこでこの発明では、上記問題点を解決するために、
ソケットに挿入係止することで、一端にリード線が接続されたプラグ側コンタクトがソケット側に設けたソケット側コンタクトと接続することでソケット側とプラグ側とを電気的に導通状態とさせるプラグであって、
ソケットに設ける接続凹部と挿抜可能な形状からなるプラグハウジングと、
基端部がプラグハウジング側面に固定されると共に他端が揺動可能な自由端を形成し、ソケットに設ける係止部と係止可能な抜け止め係止部が設けられた抜け止め防止片と、
プラグハウジング側面に形成され、抜け止め防止片の揺動を規制する抜け止め防止片押さえ部とから成り、
抜け止め防止片は抜け止め防止片押さえ部によって外側への揺動が規制されることを特徴とするプラグ、
【００１１】
を提供する。そして、この発明によるプラグでは、プラグハウジングをソケットの接続凹部に挿入して接続する際には、抜け止め防止片が付勢力に抗してプラグハウジング側に凹圧移動されながら挿入され、やがて接続凹部側に設ける係止部とプラグの抜け止め防止片に設ける抜け止め係止部とが係止することで、プラグはソケットから脱抜されない。
プラグをソケットから抜くときには、抜け止め防止片を付勢力に抗してプラグ側へ凹圧移動させ、ソケット側の係止部とプラグの抜け止め防止片に設けた抜け止め防止部との係止を解除させた状態でプラグをソケットから引き抜き行う。
【発明の効果】
【００１２】
従って、この発明では、抜け止め防止片を設け、抜け止め防止片をソケット内でソケット側の係止部と係止させることで、プラグとソケットの係止状態を維持して容易に脱抜しないように出来ると共に、抜け止め防止片の自由端部が抜け止め防止片押さえ部に内包されているので、抜け止め防止片先端部を引っかけて破損することを防止できる。
【発明を実施するための最良の形態】
【００１３】
次いで、この発明の実施の形態を図面に基づき説明する。
図１はこの発明の実施の形態を表す斜視説明図、図２は同接続状態を表す断面説明図、図３はハウジングを表す斜視説明図であり、図４はソケットを表す説明図であり、図５はこの発明の実施の形態であるプラグとソケットとの嵌合状態の断面説明図である。
【００１４】
Ｐ１は、プラグである。プラグＰ１は、図１に表すように、プラグハウジングＰ２によって外形形状を形成し、内部にはプラグ側コンタクトＰ３を設ける。そして、プラグＰ１は、ソケットＳに設ける接続凹部Ｓ１に挿入固定することで、プラグＰ１側とソケットＳ側とを電気的に接続する。
プラグハウジングＰ２内には、図２に表すように、一対のリード線Ｌ１、Ｌ２が接続されるプラグ側コンタクトＰ３を設ける。プラグ側コンタクトＰ３は、導体から成り、先端部Ｐ３１がソケットＳに設けるソケット側コンタクトＳ３と接続される接続部を形成し、後端部Ｐ３２にはリード線Ｌ１、Ｌ２を接続固定する。先端部Ｐ３１は、図２に表すように、鰐口状に対向する２片から形成し、２片間にソケット側コンタクトＳ３が挿入されることで、電気的な導通状態が確保される。このように、プラグ側コンタクトＰ３はプラグＰ１がソケットＳに挿入固定された際に、ソケット側コンタクトＳ３と導通してリード線Ｌ１、Ｌ２をソケット側コンタクトＳ３と電気的に接続することとなる。
ここで、リード線Ｌ１及びリード線Ｌ２は、例えば、スピーカケーブルの信号線及びアース線である。
【００１５】
次いでプラグハウジングＰ２の詳細を説明する。プラグハウジングＰ２は、ハウジング本体Ｐ２１と、ハウジング本体Ｐ２１と対向して固定されることでプラグハウジングＰ２を形成するハウジングカバーＰ２２とからなる。
【００１６】
ハウジング本体Ｐ２１は、図１及び図３（ａ）に表すように、略直方体形状を成し、ソケットＳに挿入する側の側面である接続凹部挿入側面Ｐ２１ａには、ソケット側コンタクトＳ３が挿入される１対の挿入口Ｐ２１ｂを開口する。また、接続凹部挿入側面Ｐ２１ａに対向する後端面Ｐ２１ｃには、リード線Ｌ１、Ｌ２を挿通させるリード線挿入口Ｐ２１ｄを開口してなる。更にまた、挿入口Ｐ２１ｂからリード線挿入口Ｐ２１ｄにかけての内部は、プラグ側コンタクトＰ３を固定可能な空間部Ｐ２１ｅを形成する。そして、ハウジング本体Ｐ２１には、図２に表すように、プラグ側コンタクトＰ３が内包固定され、プラグ側コンタクトＰ３に固定されたリード線Ｌ１、Ｌ２がリード線挿入口Ｐ２１ｄから挿通される。
【００１７】
更に、ハウジング本体Ｐ２１の側面Ｐ２１ｆには、抜け止め防止片Ｐ２１ｇが突設される。抜け止め防止片Ｐ２１ｇは、側面Ｐ２１ｆの接続凹部挿入側面Ｐ２１ａ側から後端面Ｐ２１ｃ側にかけて設け、側面Ｐ２１ｆ側に押圧されると付勢力に抗して基端部Ｐ２１ｈを中心に先端部である自由端Ｐ２１ｉ側が揺動可能であり、中間部にはソケットＳの接続凹部Ｓ１に設ける係止部Ｓ２１と係止する抜け止め係止部Ｐ２１ｊを設ける。抜け止め係止部Ｐ２１ｊは、基端部Ｐ２１ｈ側が緩やかな傾斜面を形成し自由端Ｐ２１ｉ側が略垂直に切り立つ係止面を形成し、抜け止め係止部Ｐ２１ｊ外側面に突設する。
また、自由端Ｐ２１ｉには、側方へ突出する係止突部Ｐ２１ｎを延設する。係止突部Ｐ２１ｎは、基端部から延設先端部にかけて傾斜面を形成してなる。
【００１８】
従って、ハウジング本体Ｐ２１に設ける抜け止め防止片Ｐ２１ｇは、ソケットＳに設ける接続凹部Ｓ１に挿入する際には、基端部Ｐ２１ｈを中心に付勢力に抗して側面Ｐ２１ｆ側に揺動されて抜け止め係止部Ｐ２１ｊの傾斜面が係止部Ｓ２１に沿って移動して行く。そして、やがて抜け止め係止部Ｐ２１ｊが係止部Ｓ２１を越し、抜け止め係止部Ｐ２１ｊの係止面が係止部Ｓ２１と係止することで抜け止め可能である。
【００１９】
更に、ハウジング本体Ｐ２１には、側面Ｐ２１ｆの接続凹部挿入側面Ｐ２１ａ側端部、及び、側面Ｐ２１ｆと対向する側面Ｐ２１ｋの接続凹部挿入側面Ｐ２１ａ側端部には、ハウジングカバーＰ２２を回動自在に係止する接続突起Ｐ２１ｍを突設する。
尚、図３はハウジング２の分解説明図であり、（ａ）はハウジング本体２１を表す説明図で前方上方視の斜視説明図及び後方下方視の斜視説明図からなり、（ｂ）はハウジングカバーＰ２２を表す説明図で前方上方視の斜視説明図及び後方下方視の斜視説明図からなる。
【００２０】
ハウジングカバーＰ２２は、ハウジング本体Ｐ２１と対向して固定することでプラグハウジングＰ２を形成し、接続凹部挿入側面Ｐ２２ａにはハウジング本体Ｐ２１の挿入口Ｐ２１ｂと対向する位置に挿入口Ｐ２２ｂを開口する。但し、ハウジングカバーＰ２２に開口する挿入口Ｐ２２ｂは、ハウジング本体Ｐ２１の挿入口Ｐ２１ｂが大きな開口であったのに対し、ソケット側コンタクトＳ３より稍大きめの形状であり、ソケット側コンタクトＳ３と対向する位置に開口する。Ｐ２２ｃは、接続孔である。接続孔Ｐ２２ｃは、ハウジング本体Ｐ２１と対向して固定したときの接続突起Ｐ２１ｍと対向位置に穿設し、ハウジング本体Ｐ２１の接続突起Ｐ２１ｍに嵌入してハウジング本体Ｐ２１に対しハウジングカバーＰ２２が回動可能となる。このようにプラグハウジングＰ２は、接続突起Ｐ２１ｍを中心にハウジング本体Ｐ２１及びハウジングカバーＰ２２を回動させる２パーツ構造とし、ハウジング本体Ｐ２１及びハウジングカバーＰ２２を一体とさせる構造をとることで、ハウジングカバーＰ２２内部略中央に設ける突起Ｐ２２ｄに従来例に表したカバー同様の機能を持たせ、プラグハウジングＰ２内部へのプラグ側コンタクトＰ３及びリード線Ｌ１、Ｌ２の組み込み等の作業を容易とさせることが可能となる。
【００２１】
更にハウジングカバーＰ２２の後端面Ｐ２１ｃ側側面には固定部Ｐ２２ｅを設ける。固定部Ｐ２２ｅは、プラグハウジングＰ２形成時、ハウジング本体Ｐ２１の側面Ｐ２１ｆ及び側面Ｐ２１ｋの外側に位置するように設け、ハウジングカバーＰ２２をハウジング本体Ｐ２１に対向して嵌め合わせる際には、側面Ｐ２１ｆ及び側面Ｐ２１ｋに設ける係止突起と係止可能な係止孔として形成しハウジング本体Ｐ２１とハウジングカバーＰ２２とを係止する凹凸部が嵌合し合うことにより係止する。尚、凹部及び突部はハウジング本体Ｐ２１、ハウジングカバーＰ２２のどちらに設けても良く、双方が嵌合して接続突起Ｐ２１ｍと接続孔Ｐ２２ｃとの係止、及び、各側面Ｐ２１ｆ、側面Ｐ２１ｋと固定部Ｐ２２ｅとの係止によって、ハウジング本体Ｐ２１及びハウジングカバーＰ２２が一体となってプラグハウジングＰ２を形成すればよい。接続突起Ｐ２１ｍ及び接続孔Ｐ２２ｃも、突起及び孔が逆のパーツに設けられても良い。
【００２２】
更にまた、ハウジングカバーＰ２２には、抜け止め防止片押さえ部Ｐ２２ｆ（以下、抜け止め防止片押さえ部Ｐ２２ｆを押さえ片Ｐ２２ｆという。）を設ける。押さえ片Ｐ２２ｆは、ハウジング本体Ｐ２１及びハウジングカバーＰ２２組み立てて形成するプラグハウジングＰ２において、ハウジング本体Ｐ２１の抜け止め防止片Ｐ２１ｇに設ける抜け止め係止部Ｐ２１ｊと対向位置となるようＬ字状に設ける。即ち、この実施の形態では、ハウジング本体Ｐ２１及びハウジングカバーＰ２２組み立てた際の抜け止め係止部Ｐ２１ｊに設けた係止突部Ｐ２１ｎと対向する位置に係止突部Ｐ２１ｎの傾斜面と当接可能な傾斜面を内側面に形成する当接部Ｐ２２ｇと、当接部Ｐ２２ｇの基端部を成しハウジングカバーＰ２２と一体に形成する延設部Ｐ２２ｈとからなり、更に傾斜部である当接部Ｐ２２ｇは先端側を薄く形成する。そして、通常時では、係止突部Ｐ２１ｎの傾斜面と当接部Ｐ２２ｇの傾斜面とが当接し、抜け止め防止片Ｐ２１ｇの位置を規制する。このように当接部Ｐ２２ｇの先端部を薄く形成し、且つ、ハウジング本体Ｐ２１に係止突部Ｐ２１ｎを抜け止め係止部Ｐ２１ｊとの間で段差を設け、ハウジング本体Ｐ２１の係止突部Ｐ２１ｎと当接させることで、ハウジング本体Ｐ２１の抜け止め防止片Ｐ２１ｇ外面と抜け止め防止片押さえ部Ｐ２２ｆ外面とが一体面を形成することが可能となるので、プラグＰ１をソケットＳから抜き取る際に抜け止め防止片Ｐ２１ｇを側面Ｐ２１ｆ側へ押圧する作業の作業性を良くすることが出来る。
【００２３】
上述のように形成するプラグＰ１は、図４に表すようなソケットＳの接続凹部Ｓ１に接続凹部挿入側面Ｐ２１ａ側から差し込む。すると、図２に表すように、プラグ側コンタクトＰ３の先端部Ｐ３１にソケット側コンタクトＳ３が挿入され電気的な接続が確保される。一方、プラグＰ１の抜け止め防止片Ｐ２１ｇはソケットＳのソケットハウジングＳ２端部に設ける係止部Ｓ２１に当接して側面Ｐ２１ｆ側に押圧されて移動するので、当接部Ｐ２２ｇと係止突部Ｐ２１ｎとは離れ、やがて、図５に表すように係止突部Ｐ２１ｎが当接部Ｐ２２ｇを乗り越えた位置に移動すると、図２に表すように、抜け止め防止片Ｐ２１ｇの付勢力により再び外方へ揺動し係止部Ｓ２１と抜け止め係止部Ｐ２１ｊとが係止してプラグＰ１とソケットＳとの嵌合が完了し、係止部Ｓ２１と抜け止め係止部Ｐ２１ｊとの係止によってプラグＰ１はソケットＳから容易に抜けなくなる。
【００２４】
プラグ１をソケットＳから抜くときには、抜け止め防止片Ｐ２１ｇを押圧して図５に表すような抜け抜け止め係止部Ｐ２１ｊと係止部Ｓ２１との係止が解除された状態でプラグＰ１をソケットＳから抜き取る。
尚、この実施の形態では、ハウジング本体Ｐ２１の抜け止め防止片Ｐ２１ｇの構成を自由端である抜け止め係止部Ｐ２１ｊ側部に更に係止突部Ｐ２１ｎを延設し、該突部Ｐ２１ｎがハウジングカバーＰ２２の抜け止め防止片押さえ部Ｐ２２ｆの当接部Ｐ２２ｇと当接して抜け止め防止片Ｐ２１ｇの外方への揺動を規制するように構成することで、抜け止め防止片Ｐ２１ｇを押圧する際の押圧部位を抜け止め係止部Ｐ２１ｊまでと長くすることで押圧の作業を容易とした。しかしながら、抜け止め防止片Ｐ２１ｇの自由端を抜け止め係止部Ｐ２１ｊのみによって形成し係止突部Ｐ２１ｎを設けない構成とすると共に、抜け止め防止片押さえ部Ｐ２２ｆが抜け止め係止部Ｐ２１ｊ上部に位置するよう形成しても良い。また、抜け止め防止片Ｐ２１ｇと抜け止め防止片押さえ部Ｐ２２ｆとの外面をフラットにするため抜け止め防止片押さえ部Ｐ２２ｆと係止突部Ｐ２１ｎとを傾斜させると共に係止突部Ｐ２１ｎに段差を設けたが、これらを設けずに構成しても、作業性は稍落ちるものの、抜け止め防止片Ｐ２１ｇの外方への揺動を規制する効果は果たせる。
【００２５】
更に、この実施の形態では、抜け止め防止片Ｐ２１ｇは自身が付勢力を有して揺動時には元の位置へ戻ろうとするが、バネ等を側面Ｐ２１ｆと抜け止め防止片Ｐ２１ｇとの間に設ける等してバネ力により元の位置へ戻るようにしても良くこの場合も付勢力によるものの範囲とする。
更に、この実施の形態では、抜け止め防止片Ｐ２１ｇ及び抜け止め防止片押さえ部Ｐ２２ｆは接続凹部挿入側面Ｐ２１ａの短辺側に接する側面に設けたが、これは、図４に表すソケットが接続凹部挿入側面Ｐ２１ａの長辺側で連続して設けられているので、抜け止め防止片Ｐ２１ｇを押圧する作業性を良くすると共に、ソケットＳの接続凹部Ｓ１を詰めて連続可能とさせるためでありこれに限定されるものではなく、例えばソケットＳの接続凹部Ｓ１が短辺側に連続するように設けられている場合や接続凹部Ｓ１が一つのみの場合などには、抜け止め防止片Ｐ２１ｇ及び抜け止め防止片押さえ部Ｐ２２ｆを接続凹部挿入側面Ｐ２１ａの長辺に当接する側面に設け実施しても良い。
【図面の簡単な説明】
【００２６】
【図１】この発明の実施の形態を表す斜視説明図
【図２】この発明の実施の形態を表す接続状態の説明図
【図３】この発明の実施の形態のハウジングを表す斜視説明図
【図４】ソケットを表す説明図
【図５】この発明の実施の形態であるプラグとソケットとの嵌合状態の断面説明図
【図６】従来例を表す斜視説明図
【図７】同断面説明図
【図８】同接続状態を説明する断面説明図
【図９】他の従来例を表す説明図
【符号の説明】
【００２７】
Ｌ１    第１リード線
Ｌ２    第２リード線
Ｐ１      プラグ
Ｐ２      ハウジング
Ｐ２１    ハウジング本体
Ｐ２１ａ  接続凹部挿入側面
Ｐ２１ｂ  挿入口
Ｐ２１ｃ  後端面
Ｐ２１ｄ  リード線挿入口
Ｐ２１ｅ  空間部
Ｐ２１ｆ  側面
Ｐ２１ｇ  抜け止め防止片
Ｐ２１ｈ  基端部
Ｐ２１ｉ  自由端
Ｐ２１ｊ  抜け止め係止部
Ｐ２１ｋ  側面
Ｐ２１ｍ  接続突起
Ｐ２１ｎ  係止突部
Ｐ２２    ハウジングカバー
Ｐ２２ａ  接続凹部挿入側面
Ｐ２２ｂ  挿入口
Ｐ２２ｃ  接続孔
Ｐ２２ｄ  突起
Ｐ２２ｅ  固定部
Ｐ２２ｆ  抜け止め防止片押さえ部
Ｐ２２ｇ  当接部
Ｐ２２ｈ  延設部
Ｐ３      プラグ側コンタクト
Ｐ３１    先端部
Ｐ３２    後端部
Ｓ      ソケット
Ｓ１    接続凹部
Ｓ２    ソケットハウジング
Ｓ２１  係止部
Ｓ３    ソケット側コンタクト
【図１】
2005209375.tif 000003
【図２】
2005209375.tif 000004
【図３】
2005209375.tif 000005
【図４】
2005209375.tif 000006
【図５】
2005209375.tif 000007
【図６】
2005209375.tif 000008
【図７】
2005209375.tif 000009
【図８】
2005209375.tif 000010
【図９】
2005209375.tif 000011